(57)【特許請求の範囲】
【請求項１】
支柱に横部材を取り付けるための防護柵用横部材取付金具であり、前記支柱を挟むようにして前記支柱に取り付けられる一対の横部材取付金具本体からなり、前記横部材取付金具本体の中央部の内面には、前記支柱に係合するための係合部が形成されている防護柵用横部材取付金具において、
前記支柱には、開口が形成され、前記係合部は、前記横部材取付金具本体の一部を前記支柱側に押し出し加工することにより形成された、前記開口内に挿入されるエンボスからなり、前記エンボスは、爪部材を有し、前記爪部材は、前記爪部材の弾性力により前記エンボスを前記開口から抜け出し不可に前記開口に係合させ、前記横部材取付金具本体の両端上部には、前記横部材の端部が挿入される切り欠きが形成されていることを特徴とする防護柵用横部材取付金具。
【請求項２】
前記爪部材は、前記エンボスの頂部に下方に向けて固定され、前記開口の縁部は、前記横部材取付金具本体と前記爪部材との間に、前記爪部材の弾性力に抗して挿入されることを特徴とする、請求項１に記載の防護柵用横部材取付金具。
【請求項３】
前記爪部材の先端部は、前記横部材取付金具本体から離れる方向に湾曲していることを特徴とする、請求項２に記載の防護柵用横部材取付金具。
【請求項４】
前記爪部材は、前記エンボスの頂部に固定された爪部材本体と、前記爪部材本体を打ち抜くことにより形成された爪部とからなり、前記爪部は、前記爪部材の前記開口内への挿入前は、前記爪部材本体の外方に突出し、前記爪部材の前記開口内への挿入時は、前記爪部の弾性力に抗して前記爪部材本体内に押し戻され、前記爪部材の前記開口内への挿入後は、元の状態に復帰し、かくして、前記開口の縁部は、前記横部材取付金具本体と前記爪部の先端とにより挟まれることを特徴とする、請求項１に記載の防護柵用横部材取付金具。
【請求項５】
前記爪部材本体は、コ字板状に形成されていることを特徴とする、請求項４に記載の防護柵用横部材取付金具。
【請求項６】
前記爪部は、前記爪部材本体に対向して形成されていることを特徴とする、請求項５に記載の防護柵用横部材取付金具。
【請求項７】
前記横部材取付金具本体の両端下部には、前記横部材の仮置き部が形成されていることを特徴とする、請求項１から６の何れか１つに記載の防護柵用横部材取付金具。
【請求項８】
前記支柱と前記横部材取付金具本体との間には、前記横部材取付金具本体を前記支柱に取り付けた後、前記横部材取付金具本体が前記エンボスを中心として垂直面内において傾斜可能な間隔が形成されていることを特徴とする、請求項１から７の何れか１つに記載の防護柵用横部材取付金具。
【請求項９】
前記仮置き部間には、間隔が形成されていることを特徴とする、請求項７または８に記載の防護柵用横部材取付金具。
【請求項１０】
前記横部材は、横ビームからなっていることを特徴とする、請求項１から９の何れか１つに記載の防護柵用横部材取付金具。
【発明の詳細な説明】
【技術分野】
【０００１】
この発明は、防護柵用横部材取付金具、特に、支柱への横部材の取り付けが容易に行え、しかも、外観に優れた防護柵用横部材取付金具に関するものである。
【背景技術】
【０００２】
防護柵は、例えば、支柱と支柱間に取り付けられた横部材とからなり、歩行者の路外転落や車道への立ち入りを防止する目的で設置される。
【０００３】
このような防護柵において、支柱に横部材を取り付けるための防護柵用横部材取付金具の一例が特許文献１に開示されている。以下、この防護柵用横部材取付金具を従来取付金具Ａといい、図面を参照しながら説明する。
【０００４】
図１４は、従来取付金具Ａによる支柱と横部材との取り付け部分を示す分解斜視図である。
【０００５】
図１４に示すように、従来取付金具Ａは、両側下部に受け部２４が形成された受け金具２３と、両側上部に被せ部２６が形成された被せ金具２５とからなっている。
【０００６】
従来取付金具Ａにより支柱２１に横部材２２を取り付けるには、図１４に示すように、まず、受け金具取付ボルト２７を支柱２１の背面側に形成されたボルト孔（図示せず）と、支柱２１の正面側に形成されたボルト孔２８と、支柱２１の正面側に当接した受け金具２３に形成されたボルト孔２９とに挿通し、ナット３０により受け金具２３を支柱２１に固定する。
【０００７】
次に、受け金具２３の受け部２４に横部材２２の端部を載置して、横部材２２を受け金具２３に仮置きする。
【０００８】
そして、被せ金具２５の被せ部２６を横部材２２の端部に被せると共に、被せ金具２５を支柱２１に当接し、横部材取付ボルト３１を被せ金具２５のボルト孔３２と、横部材２２の端部に形成されたボルト孔３３と、受け金具２３の端部に形成されたボルト孔３４とに挿通し、ナット３５により横部材２２を受け金具２３および被せ金具２５を介して支柱２１に取り付ける。この際、被せ金具２５に形成された貫通孔３６は、受け金具取付ボルト２７の頭部より大きく形成されているので、横部材２２を受け金具２３に仮置きした後、被せ金具２５を支柱２１に固定することができる。
【０００９】
支柱に横部材を取り付けるための防護柵用横部材取付金具の別の例が特許文献２に開示されている。以下、この防護柵用横部材取付金具を従来取付金具Ｂといい、図面を参照しながら説明する。
【００１０】
図１５は、従来取付金具Ｂを示す斜視図である。
【００１１】
図１５に示すように、従来取付金具Ｂは、支柱３７との当接面３８が凹没して形成され、上面に横部材取付ボルトのボルト孔３９が形成されているものからなっている。
【００１２】
従来取付金具Ｂにより横部材４０を支柱３７に水平に取り付けるには、図１６に示すように、従来取付金具Ｂを支柱３７に固定ボルト４１によって水平に固定する。
【００１３】
従来取付金具Ｂにより横部材４０を支柱３７に傾斜して取り付けるには、図１７に示すように、従来取付金具Ｂを垂直面内において当接面３８にそって傾斜させ、固定ボルト４１によって固定する。
【００１４】
横部材４０を水平面内において角度をつけて取り付けるには、図１８に示すように、従来取付金具Ｂを水平面内において当接面３８に沿って回転させ、固定ボルト４１によって固定する。
【先行技術文献】
【特許文献】
【００１５】
【特許文献１】特開２００８−３１８２４号公報
【特許文献２】実開昭６２−１９６２２３号公報
【発明の概要】
【発明が解決しようとする課題】
【００１６】
上述した従来取付金具Ａによれば、受け金具２３に横部材２２を仮置きすることができるので、支柱２１への横部材２２の取り付けが容易に行えるが、受け金具取付ボルト２７が不可欠であるので、外観が悪いと共に、材料費がかかる。
【００１７】
上述した従来取付金具Ｂによれば、固定ボルト４１が露出しないので、外観は、優れているが、固定ボルト４１が不可欠であるので、材料費がかかる。しかも、固定ボルト４１の締結作業がやりずらいので、支柱３７への横部材４０の取り付けに時間を要する。
【００１８】
従って、この発明の目的は、横部材の仮置きができるので、支柱への横部材の取り付けが容易に行え、しかも、支柱に横部材取付金具を固定する横部材取付金具用固定ボルトが不要であるので、この点からも支柱への横部材の取り付けが容易に行えると共に、外観に優れ、さらに、コスト低減を図ることができる防護柵用横部材取付金具を提供することにある。
【課題を解決するための手段】
【００１９】
この発明は、上記目的を達成するためになされたものであって、下記を特徴とする。
【００２０】
請求項１に記載の発明は、支柱に横部材を取り付けるための防護柵用横部材取付金具であり、前記支柱を挟むようにして前記支柱に取り付けられる一対の横部材取付金具本体からなり、前記横部材取付金具本体の中央部の内面には、前記支柱に係合するための係合部が形成されている防護柵用横部材取付金具において、前記支柱には、開口が形成され、前記係合部は、前記横部材取付金具本体の一部を前記支柱側に押し出し加工することにより形成された、前記開口内に挿入されるエンボスからなり、前記エンボスは、爪部材を有し、前記爪部材は、前記爪部材の弾性力により前記エンボスを前記開口から抜け出し不可に前記開口に係合させ、前記横部材取付金具本体の両端上部には、前記横部材の端部が挿入される切り欠きが形成されていることに特徴を有するものである。
【００２１】
請求項２記載の発明は、請求項１に記載の発明において、前記爪部材は、前記エンボスの頂部に下方に向けて固定され、前記開口の縁部は、前記横部材取付金具本体と前記爪部材との間に、前記爪部材の弾性力に抗して挿入されることに特徴を有するものである。
【００２２】
請求項３記載の発明は、請求項２に記載の発明において、前記爪部材の先端部は、前記横部材取付金具本体から離れる方向に湾曲していることに特徴を有するものである。
【００２３】
請求項４記載の発明は、請求項１に記載の発明において、前記爪部材は、前記エンボスの頂部に固定された爪部材本体と、前記爪部材本体を打ち抜くことにより形成された爪部とからなり、前記爪部は、前記爪部材の前記開口内への挿入前は、前記爪部材本体の外方に突出し、前記爪部材の前記開口内への挿入時は、前記爪部の弾性力に抗して前記爪部材本体内に押し戻され、前記爪部材の前記開口内への挿入後は、元の状態に復帰し、かくして、前記開口の縁部は、前記横部材取付金具本体と前記爪部の先端とにより挟まれることに特徴を有するものである。
【００２４】
請求項５記載の発明は、請求項４に記載の発明において、前記爪部材本体は、コ字板状に形成されていることに特徴を有するものである。
【００２５】
請求項６記載の発明は、請求項５に記載の発明において、前記爪部は、前記爪部材本体に対向して形成されていることに特徴を有するものである。
【００２６】
請求項７記載の発明は、請求項１から６の何れか１つに記載の発明において、前記横部材取付金具本体の両端下部には、前記横部材の仮置き部が形成されていることに特徴を有するものである。
【００２７】
請求項８に記載の発明は、請求項１から７の何れか１つに記載の発明において、前記支柱と前記横部材取付金具本体との間には、前記横部材取付金具本体を前記支柱に取り付けた後、前記横部材取付金具本体が前記エンボスを中心として垂直面内において傾斜可能な間隔が形成されていることに特徴を有するものである。
【００２８】
請求項９に記載の発明は、請求項７または８に記載の発明において、前記仮置き部間には、間隔が形成されていることに特徴を有するものである。
【００２９】
請求項１０に記載の発明は、請求項１から９の何れか１つに記載の発明において、前記横部材は、横ビームからなっていることに特徴を有するものである。
【発明の効果】
【００３１】
この発明によれば、横部材取付金具本体の支柱との当接面にエンボスを設け、このエンボスを支柱に形成された開口に係合させることによって、横部材取付金具用固定ボルトを使用することなく、支柱に横部材取付金具を取り付けることができる。この結果、支柱への横部材の取り付けが容易に行えると共に、外観に優れ、しかも、コストの低減を図ることができる。
【００３２】
また、この発明によれば、エンボスに爪部材を設けることによって、横部材取付金具本体を支柱に容易かつ確実に仮止めすることができる。
【００３３】
また、この発明によれば、横部材取付金具本体の両端下部に横部材の仮置き部が形成されているので、支柱への横部材の取り付けが容易に行える。
【００３４】
また、この発明によれば、横部材取付金具本体の両端上部コーナー部に横部材の端部が挿入される切り欠きを形成することによって、横部材取付金具への横部材の仮置きが容易に行える。
【００３５】
また、この発明によれば、支柱と横部材取付金具本体との間に、横部材取付金具本体を支柱に取り付けた後、横部材取付金具本体がエンボスを中心として垂直面内において傾斜可能な間隔を形成することによって、横部材を支柱に傾斜させて取り付けることができる。
【００３６】
また、この発明によれば、仮置き部間に間隔を形成することによって、横部材に縦桟を取り付ける場合に、縦桟と横部材取付金具との干渉を防止することができる。
【図面の簡単な説明】
【００３７】
【図１】この発明の防護柵用横部材取付金具による支柱への横部材の取り付け方法を示す平面図である。
【図２】この発明の防護柵用横部材取付金具による支柱への横部材の取り付け方法を示す正面図である。
【図３】この発明の防護柵用横部材取付金具による支柱への横部材の取り付け方法を示す側面図である。
【図４】この発明の横部材取付金具本体における爪部材を示す側面図である。
【図５】この発明の防護柵用横部材取付金具により支柱に横部材を取り付けた状態を斜め上方から見た斜視図である。
【図６】この発明の防護柵用横部材取付金具により支柱に横部材を取り付けた状態を斜め上方から見た別の斜視図である。
【図７】この発明の防護柵用横部材取付金具により支柱に横部材を取り付けた状態を斜め下方から見た斜視図である。
【図８】この発明の防護柵用横部材取付金具におけるエンボスを示す図であり、（ａ）は、平面図、（ｂ）は、正面図、（ｃ）は、側面図である。
【図９】図８に示すエンボスによる支柱への係合状態を示す図であり、（ａ）は、平面図、（ｂ）は、正面図、（ｃ）は、側面図である。
【図１０】爪部材の開口への係合方法を示す図であり、（ａ）は、係合初期を示す側面図、（ｂ）は、係合終期を示す側面図である。
【図１１】この発明の防護柵用横部材取付金具における別のエンボスを示す図であり、（ａ）は、平面図、（ｂ）は、正面図、（ｃ）は、側面図である。
【図１２】図１１に示すエンボスによる支柱への係合状態を示す図であり、（ａ）は、平面図、（ｂ）は、正面図、（ｃ）は、側面図である。
【図１３】爪部材の開口への係合方法を示す図であり、（ａ）は、係合初期を示す平面図、（ｂ）は、係合中期を示す側面図、（ｃ）は、係合終期を示す側面図である。
【図１４】従来取付金具Ａによる支柱と横部材との取り付け部分を示す分解斜視図である
【図１５】従来取付金具Ｂを示す斜視図である。
【図１６】従来取付金具Ｂにより横部材を支柱に水平に取り付けた状態を示す正面図である。
【図１７】従来取付金具Ｂにより横部材を支柱に傾斜して取り付けた状態を示す正面図である。
【図１８】従来取付金具Ｂにより横部材を水平面内において角度をつけて支柱に取り付けた状態を示す正面図である。
【発明を実施するための形態】
【００３８】
この発明の防護柵用横部材取付金具の一実施態様を、図面を参照しながら説明する。
【００３９】
図１は、この発明の防護柵用横部材取付金具により支柱に横部材を取り付けた状態を示す平面図、図２は、この発明の防護柵用横部材取付金具により支柱に横部材を取り付けた状態を示す正面図、図３は、この発明の防護柵用横部材取付金具により支柱に横部材を取り付けた状態を示す側面図、図４は、この発明の横部材取付金具本体における爪部材を示す側面図、図５は、この発明の防護柵用横部材取付金具により支柱に横部材を取り付けた状態を斜め上方から見た斜視図、図６は、この発明の防護柵用横部材取付金具により支柱に横部材を取り付けた状態を斜め上方から見た別の斜視図、図７は、この発明の防護柵用横部材取付金具により支柱に横部材を取り付けた状態を斜め下方から見た斜視図である。
【００４０】
なお、本実施形態では、横部材をビーム材としているが、これに限定されるものではなく、胴縁材やパネル体枠材等であっても良い。
【００４１】
図１から図７に示すように、この発明の防護柵用横部材取付金具Ｃ（以下、単に、横部材取付金具Ｃという。）は、支柱２を挟むようにして支柱２に取り付けられる一対のビーム取付金具本体１ａ、１ｂからなっている。横部材取付金具本体１ａ、１ｂの両側は、横部材３の外径に合わせて半円筒形状に形成されている。
【００４２】
横部材取付金具本体１ａ、１ｂの中央部の内面には、支柱２に形成した開口４に係合する係合部としてのエンボス５が形成されている。エンボス５には、爪部材６が形成されている。爪部材６の詳細については、後述する。横部材取付金具本体１ａ、１ｂにエンボス５を形成し、エンボス５を支柱２の開口４内に挿入して、爪部材５と共に開口４に係合させることによって、従来取付金具ＡおよびＢのように、これらを支柱に固定する固定ボルトが不要となる。
【００４３】
横部材取付金具本体１ａ、１ｂの両端側部には、横部材取付ボルト７が挿通されるボルト孔８が形成されている。
【００４４】
横部材取付金具本体１ａ、１ｂの両端下部には、横部材３の仮置き部９が形成され、仮置き部９間には、間隔（Ｌ１）が形成されている（図３、図７参照）。間隔（Ｌ１）を形成することによって、図７に示すように、横部材３に縦桟１０を取り付ける場合、縦桟１０と横部材取付金具本体１ａ、１ｂとの干渉を防止することができる。
【００４５】
横部材取付金具本体１ａ、１ｂの両端上部コーナー部には、横部材３の端部が挿入される切り欠き１１が形成されている。切り欠き１１を形成することによって、横部材３の仮置き部９への仮置きが容易になる。
【００４６】
支柱２と横部材取付金具本体１ａ、１ｂとの間には、間隔（Ｌ２）が形成されている（図１、図６、図７参照）。この間隔（Ｌ２）を形成することによって、横部材取付金具Ｃを支柱２に取り付けた後、横部材取付金具Ｃをエンボス５を中心として垂直面内において、所定角度範囲内で傾斜させて取り付けることが可能となる。
【００４７】
横部材取付金具Ｃにより、支柱２に横部材３を取り付けるには、以下のようにする。
【００４８】
先ず、図１、図２に示すように、横部材取付金具本体１ａ、１ｂのエンボス５を支柱２に形成された開口４内に挿入する。これによって、支柱２を挟んでその両側に横部材取付金具本体１ａ、１ｂが仮止めされる。すなわち、エンボス５には、爪部材６が形成され、爪部材６が開口４に係合するので、横部材取付金具本体１ａ、１ｂは、支柱２から外れることなく、仮止めされる。
【００４９】
次に、横部材３の端部を横部材取付金具本体１ａ、１ｂの切り欠き１１の上方から仮置き部９上に載置して、横部材３を横部材取付金具本体１ａ、１ｂ（横部材取付金具Ｃ）に仮置きする（図１から図３参照）。
【００５０】
次いで、横部材取付ボルト７を横部材取付金具本体１ａ、１ｂのボルト孔８および横部材３のボルト孔１２に挿通し、ナット１３により固定する。これによって、横部材取付金具Ｃに横部材３が固定されると共に、横部材取付金具本体１ａ、１ｂは、支柱２を挟み付ける状態となるので、横部材取付金具本体１ａ、１ｂは、支柱２にがたつきなく固定される。
【００５１】
以上のようにして、横部材取付金具Ｃにより、支柱２に横部材３を取り付けることができる。
【００５２】
支柱２に横部材取付金具Ｃを傾斜させて取り付けるには、図２中、二点鎖線で示すように、横部材取付金具本体１ａ、１ｂをエンボス５を中心として回転させれば良い。支柱２と横部材取付金具Ｃとの間には、間隔（Ｌ２）が形成されているので、横部材取付金具Ｃは、所定角度範囲内でエンボス５を中心として回転させることができる。
【００５３】
また、図７に示すように、横部材取付金具本体１ａ、１ｂの仮置き部９間に間隔（Ｌ１）が形成されているので、横部材３に縦桟１０を取り付ける場合、縦桟１０と横部材取付金具本体１ａ、１ｂとの干渉を防止することができる。
【００５４】
図８は、この発明の防護柵用横部材取付金具におけるエンボスを示す図であり、（ａ）は、平面図、（ｂ）は、正面図、（ｃ）は、側面図であり、図９は、図８に示す係合部による支柱への係合状態を示す図であり、（ａ）は、平面図、（ｂ）は、正面図、（ｃ）は、側面図である。
【００５５】
エンボス５は、横部材取付金具本体１ａ、１ｂの一部を支柱２側に押し出し加工することによって形成されている。エンボス５は、爪部材６を有している。爪部材６は、エンボス５の頂部に下方に向けて固定され、開口４の縁部は、図９（ａ）から（ｃ）、図１０（ａ）および（ｂ）に示すように、横部材取付金具本体１ａ、１ｂと爪部材６との間に、爪部材６の弾性力に抗して挿入される。
【００５６】
このように、横部材取付金具本体１ａ、１ｂと爪部材６との間に爪部材６の弾性力に抗して開口４の縁部が挿入されることによって、エンボス５を開口４から抜け出し不可に開口４に係合させることができる。爪部材６の先端部を、図４中、二点鎖線で示すように、横部材取付金具本体１ａ、１ｂから離れる方向に湾曲させることによって、爪部材６の開口４の縁部への挿入が容易になる。
【００５７】
上述したように、爪部材６を有するエンボス５によれば、エンボス５を支柱２の開口４内に挿入することによって、爪部材６が開口４に係合するので、横部材取付金具本体１ａ、１ｂは、支柱２から外れることなく、仮止めされる。
【００５８】
図１１は、この発明の防護柵用横部材取付金具における別のエンボスを示す図であり、（ａ）は、平面図、（ｂ）は、正面図、（ｃ）は、側面図であり、図１２は、図１１に示す係合部による支柱への係合状態を示す図であり、（ａ）は、平面図、（ｂ）は、正面図、（ｃ）は、側面図である。
【００５９】
このエンボス１４は、横部材取付金具本体１ａ、１ｂの一部を支柱２側に押し出し加工することによって形成され、エンボス１４は、爪部材１５を有している。爪部材１５は、エンボス１４の頂部に固定された、コ字板状の爪部材本体１６と、爪部材本体１６を打ち抜くことにより、爪部材本体１６に対向して形成された一対の爪部１７とからなっている。
【００６０】
図１１（ａ）から（ｃ）に示すように、爪部１７は、爪部材１５の開口４内への挿入前は、爪部材本体１６の外方に突出し、図１３（ａ）、（ｂ）に示すように、爪部材１５の開口４内への挿入時は、爪部１７の弾性力に抗して爪部材本体１６内に押し戻され、図１３（ｃ）に示すように、爪部材１５の開口４内への挿入後は、元の状態に復帰し、かくして、開口４の縁部は、横部材取付金具本体１ａ、１ｂと爪部１７の先端とにより挟まれる。
【００６１】
このように、横部材取付金具本体１ａ、１ｂと爪部１７の先端とにより開口４の縁部が挟まれることによって、エンボス１４を開口４から抜け出し不可に開口４に係合させることができる。
【００６２】
上述したように、爪部材１５を有するエンボス１４によれば、エンボス１４を支柱２の開口４内に挿入することによって、横部材取付金具本体１ａ、１ｂと爪部１７の先端とにより開口４の縁部が挟まれるので、横部材取付金具本体１ａ、１ｂは、支柱２から外れることなく、仮止めされる。
【００６３】
以上、説明したように、この発明によれば、横部材取付金具本体１ａ、１ｂを、爪部材６、１５を有するエンボス５、１４のみを介して支柱２に取り付けることができ、しかも、横部材３を横部材取付金具本体１ａ、１ｂの仮置き部９に仮置きすることができるので、支柱２への横部材３の取り付けが容易に行えると共に、横部材取付金具本体１ａ、１ｂを支柱２に固定する固定ボルトが不要となるので、外観に優れ、しかも、コストの低減を図ることができる。
【００６４】
また、この発明によれば、エンボス５、１４に爪部材６、１５を設けることによって、横部材取付金具本体１ａ、１ｂを支柱２に容易かつ確実に仮止めすることができる。
【００６５】
また、この発明によれば、横部材取付金具本体１ａ、１ｂの両端上部コーナー部に横部材３の端部が挿入される切り欠き１１を形成することによって、横部材取付金具Ｃへの横部材３の仮置きが容易に行える。
【００６６】
また、この発明によれば、支柱２と横部材取付金具本体１ａ、１ｂとの間に、横部材取付金具本体１ａ、１ｂを支柱に取り付けた後、横部材取付金具本体１ａ、１ｂがエンボス５、１４を中心として垂直面内において傾斜可能な間隔（Ｌ２）を形成することによって、横部材３を支柱２に傾斜させて取り付けることができる。
【００６７】
また、この発明によれば、仮置き部９間に間隔（Ｌ１）を形成することによって、横部材３に縦桟１０を取り付ける場合に、縦桟１０と横部材取付金具Ｃとの干渉を防止することができる。
【符号の説明】
【００６８】
１ａ、１ｂ：横部材取付金具
２：支柱
３：横部材
４：開口
５：エンボス
６：爪部材
７：横部材取付ボルト
８：ボルト孔
９：仮置き部
１０：縦桟
１１：切り欠き
１２：ボルト孔
１３：ナット
１４：エンボス
１５：爪部材
１６：爪部材本体
１７：爪部
２１：支柱
２２：横部材
２３：受け金具
２４：受け部
２５：被せ金具
２６：被せ部
２７：受け金具取付ボルト
２８：ボルト孔
２９：ボルト孔
３０：ナット
３１：横部材取付ボルト
３２：ボルト孔
３３：ボルト孔
３４：ボルト孔
３５：ナット
３６：貫通孔
３７：支柱
３８：当接面
３９：ボルト孔
４０：横部材
４１：固定ボルト
【図１】
0006537918.tif 000002
【図２】
0006537918.tif 000003
【図３】
0006537918.tif 000004
【図４】
0006537918.tif 000005
【図５】
0006537918.tif 000006
【図６】
0006537918.tif 000007
【図７】
0006537918.tif 000008
【図８】
0006537918.tif 000009
【図９】
0006537918.tif 000010
【図１０】
0006537918.tif 000011
【図１１】
0006537918.tif 000012
【図１２】
0006537918.tif 000013
【図１３】
0006537918.tif 000014
【図１４】
0006537918.tif 000015
【図１５】
0006537918.tif 000016
【図１６】
0006537918.tif 000017
【図１７】
0006537918.tif 000018
【図１８】
0006537918.tif 000019